(57)【要約】【課題】  本発明は光の透過が可能で、高気密、高断熱化を図ることができるフローリング状の床および床材を得るにある。【解決手段】  床材を設置することができるように、梁間に位置するように取付けられた光透過性の合成樹脂材製の格子状の根太と、この格子状の根太の上面に設置された光透過性の合成樹脂材製のフローリング状の多数個の床材とで床を構成している。【選択図】  図１
2005248462.tif 000002
【特許請求の範囲】
【請求項１】
床材を設置することができるように、梁間に位置するように取付けられた光透過性の合成樹脂材製の格子状の根太あるいは光透過性の根太と、この格子状の根太あるいは光透過性の根太の上面に設置された全体が光透過性の合成樹脂材製のフローリング状の多数個の床材あるいは一部が光透過性の合成樹脂材を用いたフローリング状の多数個の床材にとからなることを特徴とする床。
【請求項２】
床材を設置することができるように、梁間に位置するように取付けられた光透過性の合成樹脂材製の格子状の根太あるいは光透過性の根太と、この格子状の根太あるいは光透過性の根太の上面に設置された光透過性の合成樹脂材製のフローリング状の床材本体、この床材本体の表面に設けられた光透過性、耐摩耗性の塗料層あるいはフィルム層とからなる多数個の床材とを備えることを特徴とする床。
【請求項３】
床材を設置することができるように、梁間に位置するように取付けられた光透過性の合成樹脂材製の格子状の根太あるいは光透過性の根太と、この格子状の根太あるいは光透過性の根太の上面に設置された光透過性の合成樹脂材製で、長径方向に複数個の透孔が形成されたフローリング状の床材本体、この床材本体の表面に設けられた光透過性、耐摩耗性の塗料層あるいはフィルム層とからなる多数個の床材とを備えることを特徴とする床。
【請求項４】
光透過性の合成樹脂材製のフローリング状の床材本体と、この床材本体の長径方向の両端部に形成された嵌合片および嵌合凹部とからなることを特徴とする床材。
【請求項５】
一部が光透過性の合成樹脂材を用いたフローリング状の多数個の床材本体と、この床材本体の長径方向の両端部に形成された嵌合片および嵌合凹部とからなることを特徴とする床材。
【請求項６】
光透過性の合成樹脂材製のフローリング状の床材本体と、この床材本体の長径方向の両端部に形成された嵌合片および嵌合凹部と、前記床材本体の表面に設けられた光透過性、耐摩耗性の塗料層あるいはフィルム層とからなることを特徴とする床材。
【請求項７】
光透過性の合成樹脂材製のフローリング状の床材本体と、この床材本体の長径方向の両端部に形成された嵌合片および嵌合凹部と、前記床材本体の表面に設けられた光透過性、耐摩耗性の塗料層あるいはフィルム層と、前記床材本体の長径方向に形成された複数個の透孔とからなることを特徴とする床材。
【発明の詳細な説明】
【技術分野】
【０００１】
本発明は  住宅等の建物の床および床材に関する。
【背景技術】
【０００２】
従来の床は格子状の根太と根太単一で廊下地を作るか、合板を梁の上に直貼りで床を構成している。
【０００３】
したがって、このように構成された床は光の透過はなく、合理性、結露の防止を図るのが難しいという欠点があった。
【特許文献１】特開平１０−２３８０８６
【発明の開示】
【発明が解決しようとする課題】
【０００４】
本発明は以上のような従来の欠点に鑑み、光の透過が可能で、高気密、高断熱化を図ることができるフローリング状の床および床材を提供することを目的としている。                  
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は床材を設置することができるように、梁間に位置するように取付けられた光透過性の合成樹脂材製の格子状の根太あるいは光透過性の根太と、この格子状の根太あるいは光透過性の根太の上面に設置された全体が光透過性の合成樹脂材製のフローリング状の多数個の床材あるいは一部が光透過性の合成樹脂材を用いたフローリング状の多数個の床材とで床を構成している。
【０００７】
また、本発明は光透過性の合成樹脂材製のフローリング状の床材本体と、この床材本体の長径方向の両端部に形成された嵌合片および嵌合凹部とで床材を構成している。
【発明の効果】
【０００８】
以上の説明から明らかなように、本発明にあっては次に列挙する効果が得られる。
【０００９】
（１）光透過性の合成樹脂材製の格子状の根太と、光透過性の合成樹脂材製のフローリング状の床材とを用いて床を構成しているので、床に光を透過させることができる。
したがって、上部あるいは下部からの光を下部あるいは上部へ透過させて照明することができる。
【００１０】
（２）前記（１）によって、床材がフローリング状の合成樹脂材製のものを用いるので、従来の木材製のものと比べ、収縮しずらく、高気密、高断熱化を図ることができるとともに、床鳴りを防止することができる。
【００１１】
（３）前記（１）によって、フローリング状の光透過性の合成樹脂材製の床材を用いているので、木調の風合いを持たせることができる。
【００１２】
（４）請求項２は前記（１）〜（３）と同様な効果が得られるとともに、床材をより光透過性を向上させることができるとともに、耐久性の向上を図ることができる。
【００１３】
（５）請求項３は前記（１）〜（３）と同様な効果が得られるとともに、床材の軽量化や保温効果の向上を図ることができる。
【００１４】
（６）請求項４、５、６、７も前記（１）〜（３）と同様な効果が得られる。
【発明を実施するための最良の形態】
【００１５】
以下、図面に示す本発明を実施するための最良の形態より、本発明を詳細に説明する。
【００１６】
図１ないし図６に示す本発明を実施するための最良の第１の形態において、１は例えば住宅２の１階と２階との間に設置される本発明の床で、この床１は複数本の柱３、３間にそれぞれ固定された複数本の梁４、４と、床材を設置することができるように、前記梁４、４間に位置するように取付けられた光透過性の合成樹脂材製の格子状の根太５と、この格子状の根太５の上面に隙間なく光透過性のほぼリップミゾ形鋼形状の固定具６やビス７等を用いて設置された光透過性の合成樹脂材製のフローリング状の多数個の床材８とで構成されている。
【００１７】
前記床材８は図３および図４に示すように、フローリングの板状に形成された光透過性の合成樹脂材であるファイバーを固めて固定した床材本体９と、この床材本体９の長径方向の両端部のほぼ中央部に一体形成された嵌合片１０および嵌合凹部１１と、前記床材本体９の表面に設けた光透過性、耐摩耗性の塗料層１２とで構成されている。
【００１８】
上記構成の床１は格子状の根太５と、床材８とが光透過性の合成樹脂材で形成されているため、従来の木材製のものと比べ、材料の相間剥離の影響等を考慮することなく、設置することができる。
また、全体が光透過性の材料を用いて床１を構成しているため、下部階の光を上部階へ、上部階の光を下部階へ透過させて照明を図ることができる。
[発明を実施するための異なる形態]
【００１９】
次に、図７ないし図２５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図７ないし図９に示す本発明を実施するための第２の形態において、前記本発明を実施するための最良の第１の形態と主に異なる点は、床材本体９の表面に光透過性、耐摩耗性のフィルム１３を固定的に設けた床材８Ａを用いた点で、このような床材８Ａを用いて構成した床１Ａにしても、前記本発明を実施するための最良の第１の形態と同様な作用効果が得られる。
【００２１】
図１０ないし図１２に示す本発明を実施するための第３の形態において、前記本発明を実施するための最良の第１の形態と主に異なる点は、床材本体９の長径方向に複数個の透孔１４、１４、１４、１４を形成した床材８Ｂを用いた点で、このような床材８Ｂを用いて構成した床１Ｂにしても、前記本発明を実施するための最良の第１の形態と同様な作用効果が得られるとともに、床材８Ｂの複数個の透孔１４、１４、１４、１４によって、保温性の向上を図ることができるとともに、透孔１４内に発光体を設置したり、空気を循環させて保温床材にすることができる。
【００２２】
図１３および図１４に示す本発明を実施するための第４の形態において、前記本発明を実施するための最良の第１の形態と主に異なる点は、あらかじめ設定された部位に透孔１４、１４、１４、１４が形成された床材８Ｂを用いた点で、このように一部に透孔１４、１４、１４、１４が形成された床材８Ｂを用いた床１Ｃにしても、前記本発明を実施するための最良の第１の形態と同様な作用効果が得られる。
【００２３】
図１５ないし図１７に示す本発明を実施するための第５の形態において、前記本発明を実施するための最良の第１の形態と主に異なる点は、一部の床面部位に格子状の根太５と、塗料層のない床材８Ｃとを用いた点で、このように一部が光透過性の床１Ｄにしても、前記本発明を実施するための最良の第１の形態と同様な作用効果が得られる。
【００２４】
図１８ないし図２１に示す本発明を実施するための第６の形態において、前記本発明を実施するための最良の第１の形態と主に異なる点は、前記梁４、４間に
図１８ないし図２０に示すように、図２１に示す複数個の光透過性の合成樹脂材製の格子状の根太５Ａが位置するように取付けた点で、このような光透過性の合成樹脂材製の格子状の根太５Ａを用いた光透過性の床１Eにしても、前記本発明を実施するための最良の第１の形態と同様な作用効果が得られる。
【００２５】
図２２および図２３に示す本発明を実施するための第７の形態において、前記本発明を実施するための最良の第１の形態と主に異なる点は、木材を用いた根太５Ｂを所定間隔で並列するように梁４、４間に設置した点でこのような根太５Ｂを用いた光透過性の床１Ｆにしても、前記本発明を実施するための最良の第１の形態と同様な作用効果が得られる
【００２６】
なお、本発明は前記本発明の各実施の形態で用いた床材８、８Ａ、８Ｂ、８Ｃ以外に図２４に示すように木材１５、１５Ａ、１５Ｂ間に角柱状の光透過性の合成樹脂材１６、１６ガ介装されて並列状態に固定された床材本体９Ａを用いて構成した床材８Ｄを用いてもよい。
また、図２５に示すように木材１５、１５Ｂ間に角柱状の光透過性の合成樹脂材１６ガ介装されて並列状態に固定された床材本体９Ｂを用いて構成した床材８Eを用いてもよい。
なお、これらの床材本体９Ａ、９Ｂの木材と光透過性の合成樹脂材との固定は接着固定や嵌合固定等一体化できる方法であればどんな手段を用いてもよい。
【産業上の利用可能性】
【００２７】
本発明は床を構成する材料を製造する産業、および住宅を建築する産業で利用される。
【図面の簡単な説明】
【００２８】
【図１】本発明を実施するための最良の第１の形態の使用状態の縦断面図。
【図２】図１の２−２線に沿う断面図。
【図３】図１の要部拡大図。
【図４】本発明を実施するための最良の第１の形態の床材の固定状態を示す説明図。
【図５】本発明を実施するための最良の第１の形態の床材の平面図。
【図６】本発明を実施するための最良の第１の形態の床材の正面図。
【図７】本発明を実施するための第２の形態の使用状態の縦断面図。
【図８】本発明を実施するための第２の形態の床材の平面図。
【図９】本発明を実施するための第２の形態の床材の正面図。
【図１０】本発明を実施するための第３の形態の使用状態の縦断面図。
【図１１】図１０の１１−１１線に沿う断面図。
【図１２】本発明を実施するための第３の形態の床材の斜視図。
【図１３】本発明を実施するための第４の形態の使用状態の縦断面図。
【図１４】図１３の１4−１4線に沿う断面図。
【図１５】本発明を実施するための第５の形態の使用状態の縦断面図。
【図１６】図１５の１6−１6線に沿う断面図。
【図１７】本発明を実施するための第５の形態の床材の斜視図。
【図１８】本発明を実施するための第６の形態の使用状態の縦断面図。
【図１９】本発明を実施するための第６の形態の床部の部分拡大平面図。
【図２０】本発明を実施するための第６の形態の根太の設置状態の説明図。
【図２１】本発明を実施するための第６の形態の根太の斜視図。
【図２２】本発明を実施するための第７の形態の使用状態の縦断面図。
【図２３】本発明を実施するための第７の形態の床部の部分拡大平面図。
【図２４】異なる床材の斜視図。
【図２５】異なる床材の斜視図。
【符号の説明】
【００２９】
・  １Ａ、１Ｂ、１Ｃ、１Ｄ：床、  ２：住宅、
３：柱、                          ４：梁、
５：根太、                        ６：固定具、
７：ビス、
８、８Ａ、８Ｂ、８Ｃ、８Ｄ、８E：床材、
９、９Ａ、９Ｂ：床材本体、        １０：嵌合片、
１１：嵌合凹部、                  １２：塗料層、
１３：フィルム、                  １４：透孔、
１５、１５Ａ、１５Ｂ：木材        １６：光透過性の合成樹脂材。
【図１】
2005248462.tif 000003
【図２】
2005248462.tif 000004
【図３】
2005248462.tif 000005
【図４】
2005248462.tif 000006
【図５】
2005248462.tif 000007
【図６】
2005248462.tif 000008
【図７】
2005248462.tif 000009
【図８】
2005248462.tif 000010
【図９】
2005248462.tif 000011
【図１０】
2005248462.tif 000012
【図１１】
2005248462.tif 000013
【図１２】
2005248462.tif 000014
【図１３】
2005248462.tif 000015
【図１４】
2005248462.tif 000016
【図１５】
2005248462.tif 000017
【図１６】
2005248462.tif 000018
【図１７】
2005248462.tif 000019
【図１８】
2005248462.tif 000020
【図１９】
2005248462.tif 000021
【図２０】
2005248462.tif 000022
【図２１】
2005248462.tif 000023
【図２２】
2005248462.tif 000024
【図２３】
2005248462.tif 000025
【図２４】
2005248462.tif 000026
【図２５】
2005248462.tif 000027